(57)【要約】【課題】手間がかからずメッセージの送受信が可能な通信システムを提供すること。【解決手段】本発明の通信システムは、通信ネットワークに接続された情報処理装置と、近距離無線ネットワークにて情報処理装置と接続されたウェアラブル端末と、を備える。そして、上記ウェアラブル端末は、選択したアドレスデータを送信先として、選択したメッセージ構成データからなるメッセージデータを送信する指示を情報処理装置に対して送信し、上記情報処理装置は、ウェアラブル端末からの送信指示に応じてメッセージデータを通信ネットワークを介して他の装置に送信する。【選択図】図１
2015041829.tif 000002
【特許請求の範囲】
【請求項１】
通信ネットワークを介して接続される他の装置とメッセージデータの送受信が可能な情報処理装置と、
前記通信ネットワークとは異なる近距離無線ネットワークにて前記情報処理装置と近距離無線通信によるデータ通信が可能であり、ユーザが身体に装着可能なウェアラブル端末と、を備え、
前記情報処理装置は、
前記メッセージデータの送信先となるアドレスデータ、及び、前記メッセージデータを構成するメッセージ構成データ、を記憶するデータ記憶部と、
前記アドレスデータ及び前記メッセージ構成データを、前記ウェアラブル端末に対して前記近距離無線ネットワークを介して送信する選択データ送信部と、
前記ウェアラブル端末を送信先とした前記メッセージデータを前記通信ネットワークを介して受信した場合に、当該メッセージデータを前記ウェアラブル端末に前記近距離無線ネットワークを介して送信すると共に、前記ウェアラブル端末から前記アドレスデータを送信先として前記メッセージデータを送信する指示を前記近距離無線ネットワークを介して受けた場合に、当該アドレスデータを送信先として前記メッセージデータを前記通信ネットワークを介して他の装置に送信するメッセージデータ送受信部と、を備え、
前記ウェアラブル端末は、
表示部と操作部とを備えると共に、
前記情報処理装置から前記近距離無線ネットワークを介して送信された前記アドレスデータ及び前記メッセージ構成データを受信し、ユーザにて選択可能なよう前記表示部に表示する選択データ表示処理部と、
前記操作部を介してユーザから入力された、前記アドレスデータの選択、及び、前記メッセージ構成データの選択、を受け付けて、当該選択されたアドレスデータを送信先として前記選択されたメッセージ構成データからなる前記メッセージデータを送信する指示を、前記情報処理装置に対して前記近距離無線ネットワークを介して送信するメッセージ送信指示部と、
前記情報処理装置から前記近距離無線ネットワークを介して受信した、自端末が送信先である前記メッセージデータを前記表示部に表示するメッセージ表示処理部と、を備えた、
通信システム。
【請求項２】
請求項１に記載の通信システムであって、
前記メッセージ構成データは、予め設定された複数の画像データからなり、
前記ウェアラブル端末が有する前記メッセージ送信指示部は、前記メッセージ構成データである複数の画像データのうち、１つあるいは複数の画像データの選択を受け付けることにより、１つの画像データあるいは複数の画像データの組み合わせによる前記メッセージデータの送信を指示する、
通信システム。
【請求項３】
請求項２に記載の通信システムであって、
前記メッセージ構成データである画像データは、アイコン画像データと背景画像データとからなり、
前記ウェアラブル端末が有する前記メッセージ送信指示部は、選択された前記アイコン画像データと前記背景画像データとを重ね合わせて表示される前記メッセージデータの送信を指示する、
通信システム。
【請求項４】
請求項１乃至３のいずれかに記載の通信システムであって、
前記ウェアラブル端末が有する前記メッセージ表示処理部は、前記メッセージデータを過去に送受信した前記アドレスデータの一覧を前記表示部に表示すると共に、当該表示されているアドレスデータが前記操作部を介して選択された場合に、当該選択されたアドレスデータの相手と送受信した前記メッセージデータの一覧を前記表示部に表示する、
通信システム。
【請求項５】
請求項４に記載の通信システムであって、
前記情報処理装置は、ユーザが携帯することが可能な携帯型情報処理端末であり、
前記ウェアラブル端末は、ユーザの手首に巻き付けて装着可能なよう形成されると共に、当該ウェアラブル端末の前記表示部は、ユーザの手首への巻き付け方向に沿って長手方向が位置する細長い形状に形成され、当該長手方向が表示されるデータの横方向に位置しており、
前記ウェアラブル端末が有する前記メッセージ表示処理部は、前記アドレスデータあるいは前記メッセージデータを前記表示部の長手方向にスクロールして表示する、
通信システム。
【請求項６】
請求項５に記載の通信システムであって、
前記ウェアラブル端末が有する前記メッセージ表示処理部は、前記メッセージデータを過去に送受信した前記アドレスデータ、前記メッセージデータを過去に送受信していない前記アドレスデータ、の順に、当該アドレスデータを前記表示部にスクロールして表示する、
通信システム。
【請求項７】
通信ネットワークを介して接続される他の装置とメッセージデータの送受信が可能な情報処理装置と、
前記通信ネットワークとは異なる近距離無線ネットワークにて前記情報処理装置と近距離無線通信によるデータ通信が可能であり、ユーザが身体に装着可能なウェアラブル端末と、を備えた通信システムによる通信方法であって、
前記情報処理装置が、前記メッセージデータの送信先となるアドレスデータ、及び、前記メッセージデータを構成するメッセージ構成データ、を記憶するデータ記憶工程と、
前記情報処理装置が、前記アドレスデータ及び前記メッセージ構成データを、前記ウェアラブル端末に対して前記近距離無線ネットワークを介して送信する選択データ送信工程と、
前記ウェアラブル端末が、前記情報処理装置から前記近距離無線ネットワークを介して送信された前記アドレスデータ及び前記メッセージ構成データを受信し、ユーザにて選択可能なよう表示部に表示する選択データ表示工程と、
前記ウェアラブル端末が、操作部を介してユーザから入力された、前記アドレスデータの選択、及び、前記メッセージ構成データの選択、を受け付けて、当該選択されたアドレスデータを送信先として前記選択されたメッセージ構成データからなる前記メッセージデータを送信する指示を、前記情報処理装置に対して前記近距離無線ネットワークを介して送信するメッセージ送信指示工程と、
前記情報処理装置が、前記ウェアラブル端末から前記アドレスデータを送信先として前記メッセージデータを送信する指示を前記近距離無線ネットワークを介して受けた場合に、当該アドレスデータを送信先として前記メッセージデータを前記通信ネットワークを介して他の装置に送信するメッセージデータ送信工程と、を有する共に、
前記情報処理装置が、前記ウェアラブル端末を送信先とした前記メッセージデータを前記通信ネットワークを介して受信した場合に、当該メッセージデータを前記ウェアラブル端末に前記近距離無線ネットワークを介して送信するメッセージデータ受信工程と、
前記ウェアラブル端末が、前記情報処理装置から前記近距離無線ネットワークを介して受信した、自端末が送信先である前記メッセージデータを前記表示部に表示するメッセージ表示工程と、を有する、
通信方法。
【発明の詳細な説明】
【技術分野】
【０００１】
本発明は、通信システムにかかり、特に、人間が身に付けるウェアラブル端末を備えた通信システムに関する。
【背景技術】
【０００２】
携帯電話機が普及し、その多機能化が進んでおり、通話機能の他、メッセージを送受信する機能も通常の機能として備わっている。そして、携帯電話機を用いたメッセージの送受信は頻繁に行われており、かかる送受信機能は不可欠なコミュニケーションツールとして利用されている。
【先行技術文献】
【特許文献】
【０００３】
【特許文献１】特開２００８−３３３８号公報
【発明の概要】
【発明が解決しようとする課題】
【０００４】
一方で、携帯電話機は、いわゆるスマートフォンと呼ばれるタッチパネル式ディスプレイを備えたものが主流となり、ディスプレイが大型化している。このため、上述したようにメッセージの送受信を頻繁に行うユーザにとっては、カバンや衣類のポケットなどに収容している携帯電話機を取り出すことに手間がかかる、という問題が生じる。
【０００５】
また、近年では、ユーザが身体に身に付けることが可能なウェアラブル端末も開発されている。例えば、特許文献１には、腕時計型のウェアラブル端末が開示されており、当該ウェアラブル端末にて音声通話を実現することが記載されている。
【０００６】
しかしながら、上述した腕時計型のようなウェアラブル端末では、操作部が小さく、メッセージの送受信に使用することが困難となる、という問題が生じる。また、構成する電子部品が小型化されているため、処理性能や通信機能の低下が懸念され、メッセージの送受信ができないおそれがある。
【０００７】
このため、本発明の目的は、上述した課題である、手間がかからずメッセージの送受信が可能な通信システムを提供することにある。
【課題を解決するための手段】
【０００８】
本発明の一形態である通信システムは、
通信ネットワークを介して接続される他の装置とメッセージデータの送受信が可能な情報処理装置と、
前記通信ネットワークとは異なる近距離無線ネットワークにて前記情報処理装置と近距離無線通信によるデータ通信が可能であり、ユーザが身体に装着可能なウェアラブル端末と、を備える。
【０００９】
そして、前記情報処理装置は、
前記メッセージデータの送信先となるアドレスデータ、及び、前記メッセージデータを構成するメッセージ構成データ、を記憶するデータ記憶部と、
前記アドレスデータ及び前記メッセージ構成データを、前記ウェアラブル端末に対して前記近距離無線ネットワークを介して送信する選択データ送信部と、
前記ウェアラブル端末を送信先とした前記メッセージデータを前記通信ネットワークを介して受信した場合に、当該メッセージデータを前記ウェアラブル端末に前記近距離無線ネットワークを介して送信すると共に、前記ウェアラブル端末から前記アドレスデータを送信先として前記メッセージデータを送信する指示を前記近距離無線ネットワークを介して受けた場合に、当該アドレスデータを送信先として前記メッセージデータを前記通信ネットワークを介して他の装置に送信するメッセージデータ送受信部と、を備える。
【００１０】
さらに、前記ウェアラブル端末は、
表示部と操作部とを備えると共に、
前記情報処理装置から前記近距離無線ネットワークを介して送信された前記アドレスデータ及び前記メッセージ構成データを受信し、ユーザにて選択可能なよう前記表示部に表示する選択データ表示処理部と、
前記操作部を介してユーザから入力された、前記アドレスデータの選択、及び、前記メッセージ構成データの選択、を受け付けて、当該選択されたアドレスデータを送信先として前記選択されたメッセージ構成データからなる前記メッセージデータを送信する指示を、前記情報処理装置に対して前記近距離無線ネットワークを介して送信するメッセージ送信指示部と、
前記情報処理装置から前記近距離無線ネットワークを介して受信した、自端末が送信先である前記メッセージデータを前記表示部に表示するメッセージ表示処理部と、を備えた、
という構成を取る。
【００１１】
上記発明によると、ユーザが所有する情報処理装置を介して、ユーザが身に付けるウェアラブル端末によるメッセージの作成や表示を行うことができる。つまり、通信ネットワークを介した他の装置とのメッセージデータの送受信は、通信ネットワークを介した通信機能を有する情報処理装置にて行われ、メッセージの作成や表示のみをウェアラブル端末が行う。そして、ユーザは、ウェアラブル端末にてアドレスデータやメッセージ構成データの選択を行うだけでよいため、ウェアラブル端末の構成の簡素化を図ることができる。このように、ユーザは、常に身に付けている簡易な構成のウェアラブル端末にてメッセージの送受信を行うことができるため、手間がかからず、容易にメッセージのやり取りを行うことができる。
【００１２】
また、上記通信システムでは、
前記メッセージ構成データは、予め設定された複数の画像データからなり、
前記ウェアラブル端末が有する前記メッセージ送信指示部は、前記メッセージ構成データである複数の画像データのうち、１つあるいは複数の画像データの選択を受け付けることにより、１つの画像データあるいは複数の画像データの組み合わせによる前記メッセージデータの送信を指示する、
という構成を取る。
【００１３】
また、上記通信システムでは、
前記メッセージ構成データである画像データは、アイコン画像データと背景画像データとからなり、
前記ウェアラブル端末が有する前記メッセージ送信指示部は、選択された前記アイコン画像データと前記背景画像データとを重ね合わせて表示される前記メッセージデータの送信を指示する、
という構成を取る。
【００１４】
これにより、予め用意された画像データをユーザが選択する操作のみでメッセージデータを作成することができるため、簡易な構成のウェアラブル端末であってもユーザは容易にメッセージを作成することができる。また、画像データの組み合わせや重ね合わせでメッセージデータを構成できるため、簡易な操作及び少ない情報で様々なメッセージデータを作成することができ、ユーザの利便性の向上を図ることができる。
【００１５】
また、上記通信システムでは、
前記ウェアラブル端末が有する前記メッセージ表示処理部は、前記メッセージデータを過去に送受信した前記アドレスデータの一覧を前記表示部に表示すると共に、当該表示されているアドレスデータが前記操作部を介して選択された場合に、当該選択されたアドレスデータの相手と送受信した前記メッセージデータの一覧を前記表示部に表示する、
という構成を取る。
【００１６】
また、上記通信システムでは、
前記情報処理装置は、ユーザが携帯することが可能な携帯型情報処理端末であり、
前記ウェアラブル端末は、ユーザの手首に巻き付けて装着可能なよう形成されると共に、当該ウェアラブル端末の前記表示部は、ユーザの手首への巻き付け方向に沿って長手方向が位置する細長い形状に形成され、当該長手方向が表示されるデータの横方向に位置しており、
前記ウェアラブル端末が有する前記メッセージ表示処理部は、前記アドレスデータあるいは前記メッセージデータを前記表示部の長手方向にスクロールして表示する、
という構成を取る。
【００１７】
また、上記通信システムでは、
前記ウェアラブル端末が有する前記メッセージ表示処理部は、前記メッセージデータを過去に送受信した前記アドレスデータ、前記メッセージデータを過去に送受信していない前記アドレスデータ、の順に、当該アドレスデータを前記表示部にスクロールして表示する、
という構成を取る。
【００１８】
これにより、ウェアラブル端末は、手首に巻き付けて装着することができ、その巻き付け方向に沿った細長い形状に表示部が形成されているため、小型でユーザが身に付けやすいものとなっている。そして、このように小型な構成であっても、アドレスデータの一覧やメッセージデータの一覧を、表示部の長手方向にスクロールして表示することで、視認性の向上を図ることができる。このとき、過去にメッセージデータを送受信したアドレスデータを、過去に送受信していないものよりも先に表示することで、メッセージのやり取りが容易となる。
【００１９】
また、本発明の他の形態である通信方法は、
通信ネットワークを介して接続される他の装置とメッセージデータの送受信が可能な情報処理装置と、
前記通信ネットワークとは異なる近距離無線ネットワークにて前記情報処理装置と近距離無線通信によるデータ通信が可能であり、ユーザが身体に装着可能なウェアラブル端末と、を備えた通信システムによる通信方法であって、
前記情報処理装置が、前記メッセージデータの送信先となるアドレスデータ、及び、前記メッセージデータを構成するメッセージ構成データ、を記憶するデータ記憶工程と、
前記情報処理装置が、前記アドレスデータ及び前記メッセージ構成データを、前記ウェアラブル端末に対して前記近距離無線ネットワークを介して送信する選択データ送信工程と、
前記ウェアラブル端末が、前記情報処理装置から前記近距離無線ネットワークを介して送信された前記アドレスデータ及び前記メッセージ構成データを受信し、ユーザにて選択可能なよう表示部に表示する選択データ表示工程と、
前記ウェアラブル端末が、操作部を介してユーザから入力された、前記アドレスデータの選択、及び、前記メッセージ構成データの選択、を受け付けて、当該選択されたアドレスデータを送信先として前記選択されたメッセージ構成データからなる前記メッセージデータを送信する指示を、前記情報処理装置に対して前記近距離無線ネットワークを介して送信するメッセージ送信指示工程と、
前記情報処理装置が、前記ウェアラブル端末から前記アドレスデータを送信先として前記メッセージデータを送信する指示を前記近距離無線ネットワークを介して受けた場合に、当該アドレスデータを送信先として前記メッセージデータを前記通信ネットワークを介して他の装置に送信するメッセージデータ送信工程と、を有する。
【００２０】
さらに、上記通信方法では、
前記情報処理装置が、前記ウェアラブル端末を送信先とした前記メッセージデータを前記通信ネットワークを介して受信した場合に、当該メッセージデータを前記ウェアラブル端末に前記近距離無線ネットワークを介して送信するメッセージデータ受信工程と、
前記ウェアラブル端末が、前記情報処理装置から前記近距離無線ネットワークを介して受信した、自端末が送信先である前記メッセージデータを前記表示部に表示するメッセージ表示工程と、を有する。
【発明の効果】
【００２１】
本発明は、以上のように構成されることにより、ユーザが身に付けることが可能であり、手間がかからずメッセージの送受信が可能な通信システムを提供することができる。
【図面の簡単な説明】
【００２２】
【図１】通信システムの全体構成を示す図である。
【図２】通信システムを構成するウェアラブル端末の外観を示す図である。
【図３】通信システムの構成を示す機能ブロック図である。
【図４】ウェアラブル端末に表示されるデータの一例を示す図である。
【図５】ウェアラブル端末に表示されるデータの一例を示す図である。
【図６】ウェアラブル端末に表示されるデータの一例を示す図である。
【図７】通信システムの動作を示すシーケンス図である。
【図８】通信システムの動作を示すシーケンス図である。
【発明を実施するための形態】
【００２３】
＜実施形態１＞
本発明の第１の実施形態を、図１乃至図８を参照して説明する。図１乃至図３は、通信システムの構成を説明するための図である。図４乃至図６は、ウェアラブル端末の表示動作を説明するための図である。図７乃至図８は、通信システムの動作を説明するための図である。
【００２４】
本実施形態における通信システムは、ユーザＰ１が所有する携帯電話機１と、ウェアラブル端末２と、によって構成される。なお、図１に示す例では、各ユーザＰ１，Ｐ２がそれぞれ、携帯電話機１，１０１とウェアラブル端末２，１０２とを備えている場合を図示している。
【００２５】
携帯電話機１は、例えばスマートフォンである。携帯電話機１は、携帯電話回線である無線通信Ｎ２にて図示しない携帯基地局に接続し、インターネット網などの通信網Ｎ１に接続可能である。これにより、携帯電話機１は、他のユーザＰ２の携帯端末１０１と、無線通信Ｎ２及び通信網Ｎ１からなる通信ネットワークを介して、後述するように相互にメッセージデータの送受信が可能である。
【００２６】
但し、上記携帯電話機１は、スマートフォンではない一般的な携帯電話機や、通話機能を有しておらずデータ通信のみが可能な情報処理端末、あるいは、固定設置されたコンピュータであってもよい。つまり、通信システムを構成する携帯電話機１は、いかなる情報処理装置であってもよい。また、携帯電話機１などの情報処理装置は、無線通信Ｎ２に限らず、いかなる通信回線を利用して通信網Ｎ１に接続してもよい。
【００２７】
また、上記ウェアラブル端末２は、図２（Ｂ）に示すように、ユーザＰ１が手首に巻き付けて装着可能に形成されている。つまり、ウェアラブル端末２は、腕時計あるいはブレスレットと同様に、環状に形成されている。具体的に、ウェアラブル端末２は、まず、図２（Ｂ）に示すように、手首に巻き付けられるバンド３５に、所定の厚みを有する長方形状の端末本体３０を備えている。この端末本体３０は、その長辺方向がバンド３５の巻き付け方向に沿って位置して配置されている。
【００２８】
そして、図２（Ａ）に示すように、端末本体３０の表面には、ディスプレイ３１（表示部２１）が設けられている。ディスプレイ３１は、端末本体３０の外形と同様に長方形形状といった細長い形状に形成されており、その長手方向がバンド３５の巻き付け方向に沿って位置している。そして、ディスプレイ３１は、長手方向が横方向となり、当該横方向に文字列や情報が連なって表示されることとなる。
【００２９】
また、図２（Ａ）に示すように、ウェアラブル端末２は、その表面に光で所定の情報の報知を行うＬＥＤ３２（報知部）を備えている。この他、図示しないが、ウェアラブル端末２は、バイブレータやスピーカなどの他の報知手段を備えている。
【００３０】
また、図２（Ａ），（Ｂ）に示すように、端末本体３０の側面には、決定ボタン３３や戻るボタン３４といった複数のボタン（操作部２２）が設けられている。なお、上述したディスプレイ３１は、タッチパネル式のディスプレイである。このため、ディスプレイ３１は、当該ディスプレイの表面に対するユーザの指などによるタッチ動作やスライド動作などの操作入力を受け付ける操作部２２としても機能する。
【００３１】
そして、上記携帯電話機１及びウェアラブル端末２は、例えばbluetoothといった近距離無線通信ネットワークＮ３で相互に近距離無線通信によるデータ通信が可能なよう、近距離無線通信部（図示せず）を備えている。この近距離無線通信ネットワークＮ３は、上述した携帯電話機１が他の携帯電話機１０１と通信を行うために接続する通信ネットワークＮ１，Ｎ２とは異なる。
【００３２】
次に、上述した携帯電話機１及びウェアラブル端末２の具体的な構成及び動作について、主に図３乃至図８を参照して説明する。
【００３３】
携帯電話機１は、演算装置と記憶装置とを備えた情報処理装置であり、図３に示すように、演算装置にプログラムが組み込まれることで構築された、データ登録部１１、選択データ送信部１３、メッセージデータ送受信部１４、を備えている。また、携帯電話機１は、記憶装置に形成されたデータ記憶部１２を備えている。なお、上記プログラム（アプリケーション）は、例えば、インターネット上のウェブサーバからダウンロードして取得すしたり、予めデータ記憶部１２に記憶されている。
【００３４】
また、ウェアラブル端末２は、演算装置と記憶装置とを備えた情報処理端末であり、図３に示すように、演算装置にプログラムが組み込まれることで構築された、選択データ表示処理部２３、メッセージデータ送信指示部２４、メッセージデータ表示処理部２５、を備えている。なお、上記プログラム（アプリケーション）は、例えば、予めウェアラブル端末２に装備された記憶装置に記憶されていてもよく、携帯電話機１から近距離無線ネットワークを介して取得してもよい。なお、図３では、図２のディスプレイ３１の表示機能部分を表示部２１と図示し、図２の各ボタン３３，３４やディスプレイ３１のタッチパネル部分を操作部２２と図示している。
【００３５】
次に、上述した各構成の処理機能や動作について詳述する。まず、携帯電話機１は、上述したようにアプリケーション（プログラム）をダウンロードして実行する（図７のステップＳ１）。そして、携帯電話機１がアプリケーションを実行することにより、当該携帯電話機１内に上述した各部１１，１３，１４が構築される。このとき、上記データ記憶部１２には、ウェアラブル端末２を用いたメッセージのやり取りを実現するために必要であり、ダウンロードしたアプリケーションに含まれるデータが記憶される。例えば、図６を参照して後述するように、メッセージデータを構成するメッセージ構成データであるアイコン画像データや背景画像データが、データ記憶部１２に記憶される（データ記憶工程）。
【００３６】
続いて、携帯電話機１は、近距離無線通信ネットワークＮ３を介してウェアラブル端末２とペアリングと呼ばれる接続設定を行う（図７のステップＳ２，Ｓ２’）。これにより、携帯電話機１とウェアラブル端末２とは、相互にデータ通信が可能となる。
【００３７】
続いて、データ登録部１１にて、ウェアラブル端末２でメッセージデータの送受信を行う相手である相手ユーザと自分自身である本人ユーザのユーザ登録を行う（図７のステップＳ３）。具体的に、データ登録部１１は、登録するユーザ毎に、当該ユーザを特定する写真、名前、メールアドレス（アドレスデータ）の入力を受け付け、これら情報からなるユーザ情報をデータ記憶部１２に登録する（データ記憶工程）。なお、写真、名前、アドレスデータは、携帯電話機１に予め記憶されている電話帳データの中から選択されてもよく、新たに入力されて登録されてもよい。このとき、本人ユーザはもちろん一人であるが、相手ユーザは複数登録してもよい。
【００３８】
また、ユーザ登録部１１は、登録したユーザ情報のうちの複数人の選択を受け付け、かかる選択された複数人のユーザ情報を、同一のグループに属する情報として、グループ名と共にデータ記憶部に登録する。このとき、グループには本人ユーザも含まれる。
【００３９】
続いて、選択データ送信部１３は、データ記憶部１２に記憶されているユーザ情報や、メッセージ構成データを、ペアリングされているウェアラブル端末２に対して、近距離無線ネットワークＮ３を介して送信する（図７のステップＳ４、選択データ送信工程）。このとき、送信するユーザ情報としては、上述した写真、名前、メールアドレス（アドレスデータ）であってもよいが、写真と名前のみであってもよい。つまり、ユーザ情報として、写真と名前に関連付けられたアドレスデータは、ウェアラブル端末２に送信しなくてもよい。このように、実際にはアドレスデータがウェアラブル端末２に送信されない場合であっても、アドレスデータを特定する情報であり当該アドレスデータに関連付けられ写真や名前を含むユーザ情報が送信されるため、アドレスデータをウェアラブル端末２に送信していること同義である。なお、メッセージ構成データは、このタイミングで送信されなくてもよく、後のメッセージ作成のタイミングで送信されてもよい。
【００４０】
続いて、ウェアラブル端末２の選択データ表示処理部２３は、上述したように携帯電話機１から近距離無線ネットワークＮ３を介して送信されたユーザ情報やメッセージ構成データを受信する。そして、選択データ表示処理部２３は、ユーザ情報（グループを含む）の一覧をディスプレイ３１（表示部２１）に表示する（図７のステップＳ５、選択データ表示工程）。具体的に、選択データ表示処理部２３は、図４（Ａ）に示すように、ディスプレイ３１の長手方向である横方向に相手ユーザとなる各ユーザ情報が並ぶよう、ユーザ情報の一覧Ｕを表示する。なお、図４（Ａ）においては、ユーザ情報の一覧に含まれる全てのユーザ情報がディスプレイ３１に表示されておらず、ユーザ「ＡＡＡＡ」とユーザ「ＢＢＢＢ」のみが表示されている。かかる状況において、ユーザＰ１がディスプレイ３１の表面に対して矢印Ｙ１に示す方向に指で接触スライド操作すると、横方向に並べられたユーザ情報の一覧が、スライド方向にスライド移動して表示される。これにより、ユーザ「ＢＢＢＢ」とユーザ「ＣＣＣＣ」がディスプレイに表示されることとなる。
【００４１】
なお、図４に示す横方向へのユーザ情報の並び順は、過去にメッセージデータを送受信した相手ユーザ、過去にメッセージデータを送受信していない相手ユーザ、の順番である。具体的には、初期値として表示されるディスプレイ３１の左端側には、過去にメッセージデータを受信した時刻が最も新しい相手ユーザのユーザ情報が位置し、受信した時刻が古くなるほど右方向に位置する。そして、さらにその右方向には、過去にメッセージデータを受信していない相手ユーザのユーザ情報が位置する。
【００４２】
また、選択データ表示処理部２３は、ユーザ情報の一覧をディスプレイ３１に表示する際に、ユーザがいずれかのユーザ情報を選択可能なよう表示する。例えば、図４（Ａ）では、まず初期値としてディスプレイ３１の左端に表示されているユーザ「ＡＡＡＡ」が選択候補とされた状態であり、斜線にて図示されている。かかる状態で、ユーザ「ＡＡＡＡ」を選択する場合には、操作部２２である決定ボタン３３をユーザＰ１が押すことで、かかるユーザ「ＡＡＡＡ」を選択することができる（図７のステップＳ６）。また、他のユーザを選択する場合には、上述したように指でスライド操作を行って、ディスプレイ３１の左端の位置にユーザ情報を移動させて斜線表示させ、決定ボタン３３を押す。
【００４３】
なお、選択データ表示処理部２３は、後述するようにまだディスプレイ３１に表示されていないメッセージデータがあるユーザ情報については、ユーザ情報の一覧を表示する際に、未読メッセージが存在することを表す未読表示を行う。例えば、未読表示は、図４のユーザ「ＡＡＡＡ」や「ＢＢＢＢ」に示すように、当該ユーザの情報に関連付けて黒丸印を表示する。
【００４４】
続いて、ウェアラブル端末２のメッセージデータ表示処理部２５は、選択されたユーザ情報の相手ユーザとこれまでに送受信したメッセージデータの一覧（トーク一覧）を、ディスプレイ３１に表示する（図７のステップＳ７）。なお、ユーザ情報の一覧からグループが選択された場合には、かかるグループにて送受信されたメッセージデータの一覧を表示する。
【００４５】
具体的に、メッセージデータ表示処理部２５は、図５（Ａ）に示すように、ディスプレイ３１の長手方向である横方向に時系列で各メッセージデータが並ぶよう、メッセージ一覧Ｍを表示する。このとき、各メッセージデータとして、メッセージを発したユーザ（相手ユーザあるいは本人ユーザ）の写真とメッセージを発した時刻、さらには、既読か否か表す情報「レ」も併せて表示する。
【００４６】
例えば、図５（Ａ）の例では、まず、初期値として表示されるディスプレイ３１の左端側には、相手ユーザであるユーザ「ＡＡＡＡ」の最も古いメッセージＭ１を表示し、送受信した時刻が新しくなるほど右側に位置する。つまり、その右側には、続いて発せられた本人ユーザのメッセージデータＭ２が位置し、さらに右側には、その後に発せられた相手ユーザであるユーザ「ＡＡＡＡ」の最新のメッセージＭ３が位置する。
【００４７】
なお、メッセージＭ２，Ｍ３をディスプレイ３１に表示させたい場合には、ユーザＰ１がディスプレイ３１の表面に対して矢印Ｙ２に示す方向に指で接触スライド操作すればよい。これにより、横方向に並べられたメッセージデータの一覧Ｍが、スライド方向にスライド移動して表示され、これにより、図５（Ａ）でディスプレイ３１に表示されていなかったメッセージＭ２，Ｍ３が表示されることとなる。ここで、図５（Ａ）ではメッセージＭ３に既読情報「レ」が付されていないが、図５（Ｂ）に示すようにディスプレイ３１にメッセージＭ３を全て表示させることで、当該メッセージＭ３に既読情報「レ」が付与される。
【００４８】
上述したように、ディスプレイ３１に相手ユーザと送受信したメッセージデータを表示している状況で、ユーザＰ１が操作部２２である決定ボタン３３を押すと、当該相手ユーザに対してメッセージデータを作成して送信することができる。つまり、メッセージデータ送信指示部２４による新たなメッセージデータの作成処理に遷移する（図７のステップＳ８）。なお、上述した図７のステップＳ６で、ユーザ情報の一覧からこれまでにメッセージデータを送受信したことが無い相手ユーザを選択した場合には、ディスプレイにメッセージ一覧（トーク一覧）は表示されない。このため、メッセージ一覧が表示されていない画面で決定ボタン３３を押すことで、メッセージデータ送信指示部２４による新たなメッセージデータの作成処理に遷移する。なお、ユーザ情報の一覧からこれまでにメッセージデータを送受信したことが無い相手ユーザを選択した場合には、自動的に新たなメッセージデータの作成処理に遷移してもよい。
【００４９】
続いて、図６を参照して、メッセージデータ送信指示部２４によるメッセージ作成処理について説明する。なお、図６で示す長方形の四角の枠は、ディスプレイ３１を示している。
【００５０】
まず、図６（Ａ）の上段左図に示すように、ディスプレイ３１の左端には、メッセージ確定の際に選択するメッセージ確定領域（「レ」の領域）が表示され、その右側に位置するカーソルバー（下線）が表示された編集領域にメッセージ構成データの入力が可能となっている。この状態でユーザＰ１が決定ボタン３３を押すと、図６（Ａ）の上段中央図に示すように、入力可能なメッセージ構成データのカテゴリ（例えば、「返事・連絡」、「気持ち・状態」、「背景」）がディスプレイ３１に表示される。そして、ユーザＰ１がディスプレイ３１に対して接触スライド動作を入力することでカテゴリを選択して（斜線部分）、決定ボタン３３を押すと、選択されたカテゴリに属するメッセージ構成データがディスプレイ３１に表示される（選択データ表示工程）。図６（Ａ）の上段右図の例では、電車、車、家などの種々の物体のアイコン画像データが、選択可能なメッセージ構成データとして表示される。
【００５１】
ユーザＰ１は、メッセージデータに含めたいアイコン画像データにカーソルバーを移動させて、決定ボタン３３を押す。すると、図６（Ａ）の下段図に示すように、メッセージデータ内に、選択したアイコン画像データが挿入される（この例では、「電車」のアイコン画像データ）。このとき、カーソルバーは、右隣の次の編集領域に移動して表示される。
【００５２】
続いて、ユーザＰ１は、さらにメッセージデータ内にアイコン画像データを挿入する場合には、上述同様の操作を繰り返す。例えば、図６（Ｂ）の例では、当該図６（Ｂ）の下段図に示すように、２つのアイコン画像データ（「電車」と「家」）を組み合わせたメッセージデータを作成することができる。
【００５３】
さらに、ユーザＰ１は、メッセージデータ内に配置したアイコン画像データの背景に、予め設定された背景画像データを挿入する場合には、図６（Ｃ）の上段中央図に示すように、カテゴリ「背景」を選択して決定ボタン３３を押す。すると、図６（Ｃ）の上段右図に示すように、種々の背景画像データが、選択可能なメッセージ構成データとして表示される。
【００５４】
ユーザＰ１は、メッセージデータに含めたい背景画像データにカーソルバーを移動させて、決定ボタン３３を押す。すると、図６（Ｃ）の下段図に示すように、メッセージデータ内に、選択した背景画像データが挿入される。このとき、背景画像データは、これまでに選択されたアイコン画像データの背景に位置し、当該アイコン画像データと背景画像データとが重ね合わせられて表示されたメッセージデータを作成される。
【００５５】
続いて、ユーザＰ１は、メッセージデータの作成が完了すると、図６（Ｄ）に示すように、ディスプレイ３１の左端に表示されたメッセージ確定領域（「レ」の領域）にカーソルバーを移動させて、決定ボタン３３を押す。すると、送信するメッセージデータが確定される。
【００５６】
上記メッセージ確定操作を受けると、メッセージデータ送信指示部２４は、上述したようにユーザＰ１によって選択された相手ユーザ及びメッセージデータの情報を、携帯電話機１に近距離無線ネットワークＮ３を介して送信する。このようにして、メッセージデータ送信指示部２４は、選択された相手ユーザのアドレスデータを送信先として、作成されたメッセージデータの送信を携帯電話機１に指示する（図７のステップＳ９、メッセージ送信指示工程）。
【００５７】
上述したようにウェアラブル端末２からメッセージデータの送信指示を受けた携帯電話機１のメッセージデータ送受信部１４は、通信ネットワークＮ２，Ｎ１を介したメッセージデータの送信処理を行う（図７のステップＳ１０、メッセージデータ送信工程）。具体的に、メッセージデータ送受信部１４は、ウェアラブル端末２からの送信指示に含まれる相手ユーザの情報から、当該相手ユーザのアドレスデータを特定する。このとき、送信指示にアドレスデータが含まれていればそのアドレスデータを使用し、含まれていなければ、データ記憶部１２に記憶されている情報を参照してアドレスデータを特定する。そして、相手ユーザのアドレスデータを送信先とし、かつ、本人ユーザのアドレスデータを送信元として、送信指示されたメッセージデータを送信する。なお、送信先としてグループが選択されている場合には、かかるグループに属するすべての相手ユーザに対してメッセージデータを送信する。
【００５８】
以上のようにすることで、図１の例では、ユーザＰ１のウェアラブル端末２から送信されたメッセージデータは、当該ユーザＰ１の携帯電話機１を経由して、通信ネットワークＮ２，Ｎ１を介して他のユーザＰ２の携帯電話機１０１に送信され、当該他のユーザＰ２のウェアラブル端末１０２にて受信される。
【００５９】
次に、ユーザＰ１が自分宛のメッセージデータを受信するときの動作を説明する。まず、ユーザＰ１の携帯電話機１のメッセージデータ送受信部１４が、通信ネットワークＮ１，Ｎ２を介してメッセージデータを受信する（図８のステップＳ１１、メッセージデータ受信工程）。すると、メッセージデータ送受信部１４は、ウェアラブル端末２に対して近距離無線ネットワークＮ３を介して、メッセージデータを受信したことを通知すると共に、受信したメッセージデータを送信する（図８のステップＳ１２）。
【００６０】
続いて、ウェアラブル端末２は、メッセージデータの受信通知を受けて、ＬＥＤ３２からメッセージ受信を表す光を発したり、図示しないバイブレータにて振動を発するなど、メッセージ受信をユーザＰ１に報知する処理を行う（図８のステップＳ１３）。また、ウェアラブル端末２のメッセージデータ表示処理部２５は、受信したメッセージデータを表示できるよう、例えば図５に示すように、送信元となっている相手ユーザとのメッセージ一覧に受信したメッセージデータを追加する。このとき、メッセージデータには、相手ユーザの情報とともに、メッセージを受信した時刻を追加する。なお、上述したメッセージデータ一覧にメッセージデータを追加する処理は、携帯電話機１側で行われてもよく、その後メッセージデータ一覧がウェアラブル端末２に送信されてもよい。
【００６１】
続いて、上述した受信報知に気が付いたユーザＰ１がウェアラブル端末２を操作してユーザ情報一覧をディスプレイ３１に表示させる（図８のステップＳ１４）。そして、ユーザＰ１は、未読表示がある相手ユーザを選択することで（図８のステップＳ１５）、メッセージデータ表示処理部２５にて選択した相手ユーザから受信したメッセージデータを表示することができる（図８のステップＳ１６、メッセージデータ表示工程）。このとき、ウェアラブル端末２は、上述したように受信報知を行っている状態でユーザＰ１にて予め設定された操作が行われた場合には、ユーザ情報一覧を表示することなく、受信した相手ユーザとのメッセージデータの一覧をすぐに表示してもよい。なお、メッセージデータの表示処理については、上記で図５を参照して説明した処理と同様である。
【００６２】
以上のように、本発明によると、ユーザが所有する携帯電話機１を介して、ユーザが身に付けるウェアラブル端末２によるメッセージの送受信を行うことができる。つまり、実際の他の装置とのメッセージデータの送受信は、通信ネットワークＮ２，Ｎ１を介した通信機能を有する携帯電話機１にて行われ、メッセージの作成や表示のみをウェアラブル端末２で行う。そして、ユーザＰ１は、ウェアラブル端末２にて相手ユーザやメッセージデータを構成する画像データの選択を行うだけでよいため、ウェアラブル端末２の構成の簡素化を図ることができる。このように、ユーザＰ１は、常に身に付けている簡易な構成のウェアラブル端末２にてメッセージの送受信を行うことができるため、手間がかからず、容易にメッセージのやり取りを行うことができる。
【００６３】
また、本発明におけるメッセージデータは、文字情報を含まず、予め用意された画像データをユーザＰ１が選択するだけで作成される。このため、ウェアラブル端末２に多くのキーを装備あるいは表示する必要がなく、簡易な構成のウェアラブル端末２であってもユーザＰ１は容易にメッセージを作成することができる。
【００６４】
＜実施形態２＞
次に、本発明の第２の実施形態を説明する。本実施形態では、上述した実施形態１の通信システムに追加して実装可能な構成を説明する。
【００６５】
まず、上述したメッセージデータの作成は、以下のようにして行われてもよい。例えば、相手ユーザから送信されたメッセージデータに、新たなアイコン画像データを追加して組み合わせたり、新たな背景画像データを追加して重ね合わせて、送信するメッセージデータを作成してもよい。
【００６６】
また、例えば、ウェアラブル端末２や携帯電話機１に音入力機能を搭載し、ユーザＰ１から入力された音の特性に応じて、メッセージデータを構成するメッセージ構成データを自動的に選択してもよい。また、入力された音の特性に応じて、携帯電話機１が特別なメッセージ構成データを所定のウェブサーバから取得してもよい。さらに、入力された音データを、メッセージデータと共に相手ユーザに送信してもよい。
【００６７】
なお、上述した音入力機能を利用して、検出した音のパターンに応じて、ＬＥＤ３２からの光の出力やバイブレータによる振動の動作を変化させて制御してもよい。
【００６８】
また、ウェアラブル端末２や携帯電話機１に加速度センサ、ＧＰＳ、脈拍センサ、温度センサなど、ユーザＰ１の状態を検出するセンサを搭載してもよい。そして、かかるセンサにて検出したユーザＰ１の状態に応じて、メッセージデータを構成するメッセージ構成データを自動的に選択してもよい。
【００６９】
例えば、ウェアラブル端末２にて検出したユーザＰ１の脈拍や温度に応じて、自動的に自分の状態を表すメッセージ構成データを含むメッセーデータを生成して送信してもよい。また、ウェアラブル端末２にて検出したユーザＰ１の脈拍や温度、携帯電話機１で検出した周囲の温度を、自動的にメッセージデータと共に相手ユーザに送信し、かかる温度や脈拍を相手ユーザのウェアラブル端末１０２にて再現してもよい。この場合には、相手ユーザのウェアラブル端末１０２に温度や脈拍を出力する機能を装備する。
【００７０】
なお、上述したように検出した脈拍や温度、ユーザの加速度は、ユーザＰ１の安否確認にも利用することができる。これらの検出値が異常である場合には、ユーザＰ１にバイブレータなどで注意を喚起したり、あるいは、他のユーザの携帯電話機１０１に特定のメッセージを送信してもよい。
【００７１】
また、例えば、ウェアラブル端末２に指の動き（筋肉の動き）を検出するセンサを搭載し、ユーザＰ１の指の動きに応じて、メッセージデータを構成するメッセージ構成データを自動的に選択してもよい。
【００７２】
また、ＧＰＳなどでユーザが特定の位置に存在していることを検出した場合に、自動的に特定のメッセージ構成データを含むメッセージデータを生成して送信してもよく、自動的に特定のメッセージ構成データが予め設定された他のデータに変化してもよい。一方で、ユーザが特定の位置に存在していないと送信することができないメッセージ構成データを設定してもよい。また、グループ登録している場合には、グループに属するユーザ全員が特定の場所に存在しないと、受信したメッセージデータを表示することができないよう設定することもできる。
【００７３】
また、ウェアラブル端末２のタッチパネルを利用して、ユーザＰ１が叩いたり掴んだことを検出して、かかる情報を相手ユーザのウェアラブル端末１０２に通知し、当該ウェアラブル端末１０２で再現してもよい。この場合には、相手ユーザのウェアラブル端末１０２には、例えばベルト３５部分に空気式圧縮機構を搭載して、ユーザＰ１による叩き動作や掴み動作を再現する。さらにかかる機能を利用して、例えば、ユーザＰ１がウェアラブル端末２を叩くことにより入力したモールス信号を、相手ユーザに通知することができる。
【００７４】
また、ＧＰＳによる位置検出を利用して携帯電話機１でナビゲーションシステムを作動させる場合に、道案内の情報を携帯電話機１からウェアラブル端末２に通知してもよい。これに応じて、ウェアラブル端末２がバイブレータや上記空気式圧縮機構を作動させることで、ユーザは道案内を受けることができる。例えば、ウェアラブル端末２は、直進する場合はバイブレータを１回短い時間作動させ、右折する場合にはバイブレータを２回短い時間作動させ、道に間違えた場合は圧縮する、などというように作動する。
【００７５】
また、ウェアラブル端末２のタッチパネルや別途搭載したマイクなどで、ユーザＰ１による息の吹きかけを検出して、かかる情報を相手ユーザのウェアラブル端末１０２に通知し、当該ウェアラブル端末１０２で再現してもよい。この場合には、相手ユーザのウェアラブル端末１０２には、送風ファンを搭載して、ユーザＰ１による息の吹きかけ動作を再現する。
【００７６】
また、自動車を運転するユーザＰ１が利用することを想定して、ウェアラブル端末２に以下のような機能を搭載してもよい。例えば、ウェアラブル端末２と自動車とが近距離無線通信により通信し、自動車を運転していると判別された場合には、ドライブモードとしてメッセージデータの送受信を停止する。また、ウェアラブル端末２に搭載した各種センサ（例えば、筋肉の動きを検出するセンサ）にてユーザＰ１の眠気を検出し、検出状況に応じてバイブレータやベルト３５部分の空気式圧縮機構を作動させて、注意を喚起する。さらに、ウェアラブル端末２に呼気センサを搭載してユーザの飲酒状況を検出し、検出状況に応じてバイブレータやベルト３５部分の空気式圧縮機構を作動させて注意を喚起する。
【００７７】
また、ウェアラブル端末２に以下のような機能を搭載して、当該ウェアラブル端末２の起動や認証に利用してもよい。例えば、ウェアラブル端末２にて脈拍や温度を検出して、ユーザが装着していると判別された場合のみ、ウェアラブル端末２によるメッセージ送受信機能を起動してもよい。また、ウェアラブル端末２に静脈認証を搭載して、認証結果に応じて起動したり、サーバに蓄積したデータを利用して装着したユーザの端末として作動してもよい。さらには、ウェアラブル端末２にカメラと虹彩認証機能を搭載して、カメラにて撮影したユーザの目の画像に対する光彩認証を行って、認証結果に応じて起動してもよい。
【００７８】
また、上述したように、ウェアラブル端末２にカメラを搭載した場合には、以下のような機能を設けてもよい。例えば、カメラにて撮影した人物の認証を行って、特定の人物が映ったときに、バイブレータなどでユーザＰ１に報知したり、他のユーザに特定のメッセージを送信してもよい。また、カメラで撮影した映像から、腕に振りや足の交差の状況を検出して、ユーザＰ１の歩数を計測してもよい。
【００７９】
また、ウェアラブル端末２に搭載された近距離無線通信を用いて、ウェアラブル端末同士が通信することも可能である。かかる通信を利用して、例えば、親子でそれぞれのウェアラブル端末同士が通信を行い、通信が遮断された状況となったときに、バイブレータによる出力で親ユーザに報知したり、メッセージの送信を行ってもよい。かかる機能は、ＧＰＳで親子間の距離を検出しても実現できる。
【００８０】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【符号の説明】
【００８１】
１  携帯電話機
１１  データ登録部
１２  データ記憶部
１３  選択データ送信部
１４  メッセージデータ送受信部
２  ウェアラブル端末
２１  表示部
２２  操作部
２３  選択データ表示処理部
２４  メッセージデータ送信指示部
２５  メッセージデータ表示処理部
３０  端末本体
３１  ディスプレイ
３２  ＬＥＤ
３３  決定ボタン
３４  戻るボタン
３５  バンド
Ｎ１，Ｎ２  通信ネットワーク
Ｎ３  近距離無線通信ネットワーク
Ｐ１，Ｐ２  ユーザ
【図１】
2015041829.tif 000003
【図２】
2015041829.tif 000004
【図３】
2015041829.tif 000005
【図４】
2015041829.tif 000006
【図５】
2015041829.tif 000007
【図６】
2015041829.tif 000008
【図７】
2015041829.tif 000009
【図８】
2015041829.tif 000010